(57)【要約】本発明は、着脱自在なテーブルを備えた折畳み式椅子に係り、テーブルと複数の折畳み式椅子との相互間の回動と同時に結合及び分離が容易になされ得る結合構造を提供することにより、製品における携帯及び保管の容易性、そして利用効率を一層向上させることができる。また、これを実現するために、本発明は、前後方の各コーナーに位置する垂直支脚４，４’及び各垂直支脚４，４’の間においてＸ字状にリンクされた折畳み支脚３により折畳み自在に支持されつつ後方に回動自在にテーブル１が設けられ、前記テーブル１の少なくとも一側方にはバックレスト支柱１４，２４及びＸ字状にリンクされた折畳み支脚１３，２３により支持される折畳み式椅子が結合され、前記折畳み椅子の一側のバックレスト支柱１４，２４及びこれに対応するテーブルの後方側の垂直支脚４’には、相互間の回動を支持すると共に、着脱を可能にする結合部材がそれぞれ備えられたことを特徴とする。
2004516878.tif 000002
【特許請求の範囲】
【請求項１】
前後方の各コーナーに位置する垂直支脚４，４’及び各垂直支脚４，４’の間においてＸ字状にリンクされた折畳み支脚３により折畳み自在に支持されつつ後方への回動が自在にテーブル１が設けられ、前記テーブル１の少なくとも一側方にはバックレスト支柱１４，２４及びＸ字状にリンクされた折畳み支脚１３，２３により支持された折り畳み椅子であり、前記折り畳み椅子と前記テーブル相互間の回動を支持するとともに、着脱を可能にする結合部材が設けられていることを特徴とする着脱自在なテーブルを備えた折畳み式椅子。
【請求項２】
前記結合部材は、前記バックレスト１４，２４の上端及び下端にそれぞれ輪部１６が備えられ、前記輪部１６は一方が開放された形状を呈し、
前記バックレスト支柱１４，２４に対応するテーブル１の後方側の垂直支脚４’には、前記輪部１６の着脱が自在に結合突部３０が備えられたことを特徴とする請求項１に記載の着脱自在なテーブルを備えた折畳み式椅子。
【請求項３】
前記結合突部３０には、結合された輪部１６が所定角度以上回転するとき、それ以上の回転を防ぎつつ強制的に離脱させるためのストッパ３３が備えられることを特徴とする請求項２に記載の着脱自在なテーブルを備えた折畳み式椅子。
【請求項４】
前記結合突部３０は、上端に半円状の結合ガイド部３２をなすが、前記結合ガイド部３２は顎部３１を備えることにより、結合された輪部１６の離脱が防止されることを特徴とする請求項２または３に記載の着脱自在なテーブルを備えた折畳み式椅子。
【請求項５】
前記結合部材は、
前記バックレスト支柱１４，２４の上端と下端にそれぞれ結合ブラケット４０が備えられ、
前記バックレスト支柱１４，２４に対応するテーブル１の後方側の垂直支脚４’には、前記結合ブラケット４０が着脱自在に結合溝４１、前記結合溝４１の一側において偏心装着された回転ガイド４２、前記結合ブラケット４０の回転角を制限するための係止部４３、回動軸において弾性部材による復元力を受ける中で前記回転ガイド４２と一体に回動する着脱ハンドル４４が備えられたことを特徴とする請求項１に記載の着脱自在なテーブルを備えた折畳み式椅子。
【発明の詳細な説明】
【０００１】
（技術分野）
本発明は、着脱自在なテーブルを備えた折畳み式椅子に係り、より詳細には、折畳み式椅子とテーブルを共に構成した後、必要に応じて折畳み式椅子をテーブルと分離可能にすることにより、携帯及び保管の容易性、そして利用効率を向上可能にした折畳み式椅子の結合構造に関する。
【０００２】
（背景技術）
一般に、従来の折畳み式椅子は、Ｘ字状にリンクされた前後左右の折畳み支脚を上下部において支え具と連結具にて折畳み自在に連結して設置し、前記後方の支え具と連結具にはバックレスト支柱が立設され前記連結具上にはシート部材、バックレスト支柱上にはバックレスト部材が結着されてなる。
【０００３】
このように、従来の折畳み式椅子は、レジャー生活における携帯及び保管の容易性、空間活用性のために折畳み自在に構成するのが要旨技術であり、かかる折畳み式椅子の構成は従来にも様々な形にて実施されていた。
【０００４】
一方、最近には、前記折畳み式椅子の便宜性を増大させるための技術が開発されつつあり、例えば、韓国特許出願第９９−４０５５号（発明の名称：着脱自在なテーブルが一体に備えられた折畳み式椅子）においては、折畳み式椅子とテーブルを一体に備えていることを技術の要旨としている。
【０００５】
しかしながら、前記技術は、２つの折畳み式椅子の中央にテーブルを回動自在に且つ一体に構成したものであって、使用者が折畳み式椅子の方向を変えたいときやテーブルから分離したいとき、それが不可能なため、狭苦しい空間では使用が困難であり、常にテーブルが備えられた状態で使用しなければならないなどの問題点があった。
【０００６】
さらに、テーブルと折畳み式椅子との間の空間が規格化してしまい、テーブルが正位置に取り付けられた状態では図体が大きい人は椅子に座り難いといった不都合があった。
【０００７】
（発明の開示）
本発明は、上記事情に鑑みてなされたものであり、その目的は、折畳み式椅子とテーブルとの結合及び分離を容易にする着脱構造を提供することにより、製品の使い勝手のよさを極大化させるところにある。
【０００８】
さらに、本発明の他の目的は、テーブルが取り付けられた状態で折畳み式椅子の回動性を高めることにより、図体の大きい人も使用可能にするところにある。
【０００９】
前記目的は、垂直支脚及びＸ字状にリンクされた折畳み支脚により支持されつつ後方に回動自在にテーブルが設けられ、前記テーブルの少なくとも一側方にはバックレスト支柱及びＸ字状にリンクされた折畳み支脚により支持される折畳み式椅子が結合され、前記折畳み式椅子の一側のバックレスト支柱及びこれに対応するテーブルの垂直支脚には、相互間の回動を支持すると共に、着脱を可能にする結合部材がそれぞれ備えられた構造により達成される。
【００１０】
（発明を実施するための最良の態様）
以下、添付した図面に基づき、本発明の具体的な実施形態について詳細に説明する。
まず、図１ないし図５を参照し、本発明の一実施形態による構成について説明すれば、下記の通りである。
【００１１】
図１に示されたように、中央のテーブル１はヒンジ２を中心にＸ字状にリンクされた前後左右の折畳み支脚３及び各コーナー側に位置する前方及び後方側の垂直支脚４，４’により支持され、そのうち後方側の垂直支脚４’と隣接してガイド支脚５を構成することにより、テーブルの遊動がガイド可能になることは従来の技術と同一なため、テーブルの遊動についての具体的な構成要素についての説明は省略する。
【００１２】
そして、テーブル１の両側には折畳み式椅子が着脱可能な状態で結合されるが、前記折畳み式椅子は使用者の必要に応じて、三角形または四角形及びバックレスト部の取り付けのいかんによって様々な形態が適用可能であることを明らかにしておく。
【００１３】
前記両側の折畳み式椅子もまたヒンジ１２，２２を中心にＸ字状にリンクされた前後左右の折畳み支脚１３，２３により支持され、後方側にはバックレスト支柱１４，２４が垂直方向に立設されてバックレスト部１５，２５を支持する。
【００１４】
一方、折畳み式椅子の結合部材として、バックレスト支柱１４，２４の上端および下端には、図２及び図３における要部拡大図のように、一方が開放された輪部１６がそれぞれ同一な形状にて取り付けられており、前記輪部１６に対応する後方側の垂直支脚４’の上端及び下端にもまた結合突起３０が構成された結合部をそれぞれ備えることにより、相互間の結合及び着脱を可能にしている。
【００１５】
また、結合突起３０の上端には顎部３１を形成する結合ガイド部３２が半円状に形成され、結合突起３０の周りには輪部１６の回転角を制限するためのストッパが設けられている。
図中、符号６は収納用の多用途網であり、７，１７，２７はそれぞれ折畳み支脚の支え具を表わす。
【００１６】
このように構成された前記実施形態の動作状態について説明する。
テーブル１及び折畳み式椅子は分離保管が可能であり、使用者の必要に応じて相互間の結合が容易になされる。
【００１７】
すなわち、テーブル１を支持している後方側の垂直支脚４’の上端及び下端に形成された結合突起３０と、これに対応するように折畳み式椅子のバックレスト支柱１４，２４の上端及び下端にそれぞれ形成された輪部１６が互いに結合されることにより、折畳み式椅子とテーブル１が一体形の構造になりうる。
この時、輪部１６は一側が開放された形状を呈して所定の弾力を有しているため、前記結合がなされる間に半球状の結合ガイド部３２により輪状が広開されつつ結合突起３０に立設された後、顎部３１により離脱が防止されて支持される。
【００１８】
図５は、輪部１６と結合突起３０との間に結合が完了した状態を示す断面図である。
このように簡単な結合作業により、図１に示されたように、テーブルと折畳み式椅子間の結合がなされうる。
【００１９】
一方、図体の大きい人の場合には、図１の如き配置状態では折畳み式椅子がテーブル７にあまりにも近づいて結合されているため、椅子に座る時に不便を感じる恐れがある。
この場合には、図４に示されたように、結合部位を中心に椅子を回動させれば、輪部１６と結合突起３０間の結合状態が保たれる状態で折畳み式椅子とテーブル１との空間が広がりつつ一層くつろげるということが分かる。
【００２０】
そして、もし前記製品を設ける空間が狭い場合、またはテーブル１を挟んで二人が向かい合おうとする場合には、前記折畳み式椅子をテーブル１から分離させた後に椅子を配することにより、使用が可能になる。
【００２１】
すなわち、折畳み式椅子をテーブル１から完全に分離しようとする場合には、椅子の回転角度を６０°以上回動させれば、結合突起３０との結合状態を保っていた輪部１６の一端が結合部のストッパ３３により押されつつ結合突起３０から自然に分離されることにより、テーブル１から折畳み式椅子を分離することができる。
【００２２】
従って、本発明は、折畳み式椅子とテーブル間の結合だけではなく、分離も容易になされ、本発明を用いた他の応用例として、折畳み式椅子を完全に分離させた状態でテーブルを回動させて後方に反らせば、収納用網６が現れ、テニスにおけるボール入れまたは室内における洗い物の収納用として使用可能になるということが分かる。
【００２３】
一方、図６は、本発明の他の実施形態による結合部材の構造を示すものである。
すなわち、バックレスト支柱１４，２４の上端と下端にそれぞれ結合ブラケット４０を備え、前記バックレスト支柱１４，２４と対応するテーブル７の後方側の垂直支脚４’には前記結合ブラケット４０が着脱自在に結合溝４１、前記結合溝４１の一側において偏心装着された回転ガイド４２、前記結合ブラケット４０の回転角を制限するための係止部４３、前記結合ブラケット４０の回動経路をガイドするためのガイド溝４５、弾性部材であるコイルスプリング４６による復元力を受けつつ前記ガイド溝４５に沿って結合ブラケット４の回動と共に回動するように先端に支持ピン４４ａが形成された着脱ハンドル４４を備えている。
【００２４】
前記他の実施形態による結合部材の作動関係は、下記の通りである。
着脱ハンドル４４をＢ方向に回動させれば、偏心結合された回転ガイド４２が共に回転して結合溝４１が大きくなり、この状態で結合ブラケット４０を押し込んだ後に着脱ハンドル４４から手を外せば、コイルスプリング４６の復元力によりさらにＡ方向に戻りつつ回転ガイド４２の正位置によって結合ブラケット４０の離脱が防止され、互いに結合される。
【００２５】
このように結合された状態で折畳み式椅子を締結部位を中心に回動させれば、椅子のバックレスト支柱１４，２４に一体に結合された結合ブラケット４０が結合溝４１に結合された状態を保ちつつガイド溝４５に沿って回動することにより、椅子とテーブル７との間に余裕空間ができ、この時、結合ブラケット４０が支持ピン４４ａを押しつつ回動することにより、着脱ハンドル４４が共に回動する。
【００２６】
そして、折畳み式椅子の回動角が６０°を超える場合には、前記一実施形態と同様にテーブル７から椅子が分離される。
すなわち、６０°以上の角度にて回動がなされる場合、ガイド溝４５に沿って回動していた結合ブラケット４０の側端が係止部４３により係止されるが、この時共に回動する着脱ハンドル４４により回転ガイド４２もまた偏心回転されることにより、結合溝４１が大きくなったため、係止部４３を支持軸として結合ブラケット３０が結合溝４１から分離可能になる。
【００２７】
従って、このように他の実施形態の着脱構造もまたテーブルと折畳み式椅子間の結合及び分離作動が容易になされうるということが分かる。
以上、本発明の特定の実施形態が説明されたが、本発明の折畳み式椅子の着脱構造が当業者によって各種に変形されて実施されうるということは言うまでもない。
【００２８】
しかし、このように変形された実施形態は本発明の技術的な思想や展望から個別的に理解されてはならず、本発明の特許請求の範囲内に属すると理解すべきである。
【００２９】
（産業上の利用可能性）
以上述べたように、本発明は、テーブルと複数の折畳み式椅子間の結合及び分離を容易に行う着脱構造を提供することにより、製品における携帯及び保管の容易性、そして利用効率を一層向上できる効果がある。
また、前記着脱構造によりテーブルと結合された状態で折畳み式椅子の回転動作を可能にすることにより、座れる空間を極大化させることができる。
【図面の簡単な説明】
【図１】
図１は、本発明の着脱構造が適用された製品の結合斜視図である。
【図２】
図２は、本発明の一実施形態による着脱構造が適用された製品において、椅子が分離された状態の斜視図である。
【図３】
本発明の一実施形態による下端側の着脱部構造の拡大図である。
【図４】
本発明の一実施形態において、椅子の回動時の状態図である。
【図５】
本発明の一実施形態による着脱部の結合断面図である。
【図６】
本発明の他の実施形態による着脱構造を示す斜視図である。
【国際公開パンフレット】
2004516878.tif 000003
2004516878.tif 000004
2004516878.tif 000005
2004516878.tif 000006
2004516878.tif 000007
2004516878.tif 000008
2004516878.tif 000009
2004516878.tif 000010
2004516878.tif 000011
2004516878.tif 000012
2004516878.tif 000013
2004516878.tif 000014
2004516878.tif 000015
2004516878.tif 000016
【手続補正書】
【提出日】平成15年3月25日(2003.3.25)
【手続補正１】
【補正対象書類名】明細書
【補正対象項目名】請求項１
【補正方法】変更
【補正の内容】
【請求項１】
前後方の各コーナーに位置する垂直支柱４，４’及び各垂直支柱４，４’の間においてＸ字状にリンクされた折畳み支脚３により折畳み自在に支持されつつ後方への回動が自在にテーブル１が設けられ、前記テーブル１の少なくとも一側方にはバックレスト支柱１４，２４及びＸ字状にリンクされた折畳み支脚１３，２３により支持される折畳み式椅子が結合され、
前記折畳み式椅子の一側のバックレスト支脚１４，２４及びこれに対応するテーブル１の後方側の垂直支柱４’には、相互間の回動を支持すると共に、着脱を可能にする結合部材がそれぞれ備えられたことを特徴とする着脱自在なテーブルを備えた折畳み式椅子。
【手続補正２】
【補正対象書類名】明細書
【補正対象項目名】発明の詳細な説明
【補正方法】変更
【補正の内容】
【発明の詳細な説明】
【０００１】
（技術分野）
本発明は、着脱自在なテーブルを備えた折畳み式椅子に係り、より詳細には、折畳み式椅子とテーブルを共に構成した後、必要に応じて折畳み式椅子をテーブルと分離可能にすることにより、携帯及び保管の容易性、そして利用効率を向上可能にした折畳み式椅子の結合構造に関する。
【０００２】
（背景技術）
一般に、従来の折畳み式椅子は、Ｘ字状にリンクされた前後左右の折畳み支脚を上下部において支え具と連結具にて折畳み自在に連結して設置し、前記後方の支え具と連結具にはバックレスト支柱が立設され前記連結具上にはシート部材、バックレスト支柱上にはバックレスト部材が結着されてなる。
【０００３】
このように、従来の折畳み式椅子は、レジャー生活における携帯及び保管の容易性、空間活用性のために折畳み自在に構成するのが要旨技術であり、かかる折畳み式椅子の構成は従来にも様々な形にて実施されていた。
【０００４】
一方、最近には、前記折畳み式椅子の便宜性を増大させるための技術が開発されつつあり、例えば、韓国特許出願第９９−４０５５号（発明の名称：着脱自在なテーブルが一体に備えられた折畳み式椅子）においては、折畳み式椅子とテーブルを一体に備えていることを技術の要旨としている。
【０００５】
しかしながら、前記技術は、２つの折畳み式椅子の中央にテーブルを回動自在に且つ一体に構成したものであって、使用者が折畳み式椅子の方向を変えたいときやテーブルから分離したいとき、それが不可能なため、狭苦しい空間では使用が困難であり、常にテーブルが備えられた状態で使用しなければならないなどの問題点があった。
【０００６】
さらに、テーブルと折畳み式椅子との間の空間が規格化してしまい、テーブルが正位置に取り付けられた状態では図体が大きい人は椅子に座り難いといった不都合があった。
【０００７】
（発明の開示）
本発明は、上記事情に鑑みてなされたものであり、その目的は、折畳み式椅子とテーブルとの結合及び分離を容易にする着脱構造を提供することにより、製品の使い勝手のよさを極大化させるところにある。
【０００８】
さらに、本発明の他の目的は、テーブルが取り付けられた状態で折畳み式椅子の回動性を高めることにより、図体の大きい人も使用可能にするところにある。
【０００９】
前記目的は、垂直支柱及びＸ字状にリンクされた折畳み支脚により支持されつつ後方に回動自在にテーブルが設けられ、前記テーブルの少なくとも一側方にはバックレスト支柱及びＸ字状にリンクされた折畳み支脚により支持される折畳み式椅子が結合され、前記折畳み式椅子の一側のバックレスト支柱及びこれに対応するテーブルの垂直支柱には、相互間の回動を支持すると共に、着脱を可能にする結合部材がそれぞれ備えられた構造により達成される。
【００１０】
（発明を実施するための最良の態様）
以下、添付した図面に基づき、本発明の具体的な実施形態について詳細に説明する。
まず、図１ないし図５を参照し、本発明の一実施形態による構成について説明すれば、下記の通りである。
【００１１】
図１に示されたように、中央のテーブル１はヒンジ２を中心にＸ字状にリンクされた前後左右の折畳み支脚３及び各コーナー側に位置する前方及び後方側の垂直支柱４，４’により支持され、そのうち後方側の垂直支柱４’と隣接してガイド支脚５を構成することにより、テーブルの遊動がガイド可能になることは従来の技術と同一なため、テーブルの遊動についての具体的な構成要素についての説明は省略する。
【００１２】
そして、テーブル１の両側には折畳み式椅子が着脱可能な状態で結合されるが、前記折畳み式椅子は使用者の必要に応じて、三角形または四角形及びバックレスト部の取り付けのいかんによって様々な形態が適用可能であることを明らかにしておく。
【００１３】
前記両側の折畳み式椅子もまたヒンジ１２，２２を中心にＸ字状にリンクされた前後左右の折畳み支脚１３，２３により支持され、後方側にはバックレスト支柱１４，２４が垂直方向に立設されてバックレスト部１５，２５を支持する。
【００１４】
一方、折畳み式椅子の結合部材として、バックレスト支柱１４，２４の上端および下端には、図２及び図３における要部拡大図のように、一方が開放された輪部１６がそれぞれ同一な形状にて取り付けられており、前記輪部１６に対応する後方側の垂直支柱４’の上端及び下端にもまた結合突起３０が構成された結合部をそれぞれ備えることにより、相互間の結合及び着脱を可能にしている。
【００１５】
また、結合突起３０の上端には顎部３１を形成する結合ガイド部３２が半円状に形成され、結合突起３０の周りには輪部１６の回転角を制限するためのストッパが設けられている。
図中、符号６は収納用の多用途網であり、７，１７，２７はそれぞれ折畳み支脚の支え具を表わす。
【００１６】
このように構成された前記実施形態の動作状態について説明する。
テーブル１及び折畳み式椅子は分離保管が可能であり、使用者の必要に応じて相互間の結合が容易になされる。
【００１７】
すなわち、テーブル１を支持している後方側の垂直支柱４’の上端及び下端に形成された結合突起３０と、これに対応するように折畳み式椅子のバックレスト支柱１４，２４の上端及び下端にそれぞれ形成された輪部１６が互いに結合されることにより、折畳み式椅子とテーブル１が一体形の構造になりうる。
この時、輪部１６は一側が開放された形状を呈して所定の弾力を有しているため、前記結合がなされる間に半球状の結合ガイド部３２により輪状が広開されつつ結合突起３０に立設された後、顎部３１により離脱が防止されて支持される。
【００１８】
図５は、輪部１６と結合突起３０との間に結合が完了した状態を示す断面図である。
このように簡単な結合作業により、図１に示されたように、テーブルと折畳み式椅子間の結合がなされうる。
【００１９】
一方、図体の大きい人の場合には、図１の如き配置状態では折畳み式椅子がテーブル７にあまりにも近づいて結合されているため、椅子に座る時に不便を感じる恐れがある。
この場合には、図４に示されたように、結合部位を中心に椅子を回動させれば、輪部１６と結合突起３０間の結合状態が保たれる状態で折畳み式椅子とテーブル１との空間が広がりつつ一層くつろげるということが分かる。
【００２０】
そして、もし前記製品を設ける空間が狭い場合、またはテーブル１を挟んで二人が向かい合おうとする場合には、前記折畳み式椅子をテーブル１から分離させた後に椅子を配することにより、使用が可能になる。
【００２１】
すなわち、折畳み式椅子をテーブル１から完全に分離しようとする場合には、椅子の回転角度を６０°以上回動させれば、結合突起３０との結合状態を保っていた輪部１６の一端が結合部のストッパ３３により押されつつ結合突起３０から自然に分離されることにより、テーブル１から折畳み式椅子を分離することができる。
【００２２】
従って、本発明は、折畳み式椅子とテーブル間の結合だけではなく、分離も容易になされ、本発明を用いた他の応用例として、折畳み式椅子を完全に分離させた状態でテーブルを回動させて後方に反らせば、収納用網６が現れ、テニスにおけるボール入れまたは室内における洗い物の収納用として使用可能になるということが分かる。
【００２３】
一方、図６は、本発明の他の実施形態による結合部材の構造を示すものである。
すなわち、バックレスト支柱１４，２４の上端と下端にそれぞれ結合ブラケット４０を備え、前記バックレスト支柱１４，２４と対応するテーブル７の後方側の垂直支柱４’には前記結合ブラケット４０が着脱自在に結合溝４１、前記結合溝４１の一側において偏心装着された回転ガイド４２、前記結合ブラケット４０の回転角を制限するための係止部４３、前記結合ブラケット４０の回動経路をガイドするためのガイド溝４５、弾性部材であるコイルスプリング４６による復元力を受けつつ前記ガイド溝４５に沿って結合ブラケット４の回動と共に回動するように先端に支持ピン４４ａが形成された着脱ハンドル４４を備えている。
【００２４】
前記他の実施形態による結合部材の作動関係は、下記の通りである。
着脱ハンドル４４をＢ方向に回動させれば、偏心結合された回転ガイド４２が共に回転して結合溝４１が大きくなり、この状態で結合ブラケット４０を押し込んだ後に着脱ハンドル４４から手を外せば、コイルスプリング４６の復元力によりさらにＡ方向に戻りつつ回転ガイド４２の正位置によって結合ブラケット４０の離脱が防止され、互いに結合される。
【００２５】
このように結合された状態で折畳み式椅子を締結部位を中心に回動させれば、椅子のバックレスト支柱１４，２４に一体に結合された結合ブラケット４０が結合溝４１に結合された状態を保ちつつガイド溝４５に沿って回動することにより、椅子とテーブル７との間に余裕空間ができ、この時、結合ブラケット４０が支持ピン４４ａを押しつつ回動することにより、着脱ハンドル４４が共に回動する。
【００２６】
そして、折畳み式椅子の回動角が６０°を超える場合には、前記一実施形態と同様にテーブル７から椅子が分離される。
すなわち、６０°以上の角度にて回動がなされる場合、ガイド溝４５に沿って回動していた結合ブラケット４０の側端が係止部４３により係止されるが、この時共に回動する着脱ハンドル４４により回転ガイド４２もまた偏心回転されることにより、結合溝４１が大きくなったため、係止部４３を支持軸として結合ブラケット３０が結合溝４１から分離可能になる。
【００２７】
従って、このように他の実施形態の着脱構造もまたテーブルと折畳み式椅子間の結合及び分離作動が容易になされうるということが分かる。
以上、本発明の特定の実施形態が説明されたが、本発明の折畳み式椅子の着脱構造が当業者によって各種に変形されて実施されうるということは言うまでもない。
【００２８】
しかし、このように変形された実施形態は本発明の技術的な思想や展望から個別的に理解されてはならず、本発明の特許請求の範囲内に属すると理解すべきである。
【００２９】
（産業上の利用可能性）
以上述べたように、本発明は、テーブルと複数の折畳み式椅子間の結合及び分離を容易に行う着脱構造を提供することにより、製品における携帯及び保管の容易性、そして利用効率を一層向上できる効果がある。
また、前記着脱構造によりテーブルと結合された状態で折畳み式椅子の回転動作を可能にすることにより、座れる空間を極大化させることができる。




【国際調査報告】
2004516878.tif 000017